(57)【特許請求の範囲】
【請求項１】
ベッドの枠体内面に設けた段部に複数のスノコを載支し、該スノコの外周を前記枠体にて保持してなるベッドのスノコ支持構造であって、前記各スノコの合せ目において互いにスノコの上下変位を規制すべく、一方のスノコの中心線より一側に寄せた位置に下面から他方のスノコの下面へ突出した突片を単又は複数設けるとともに、両スノコの突片が近接するように設定してなることを特徴とするベッドのスノコ支持構造。
【請求項２】
２枚の同一形状のスノコからなり、各スノコの合せ目に突設した突片の位置を１８０度回転させた際に重ならない位置に設けてなる請求項１記載のベッドのスノコ支持構造。
【請求項３】
前記各スノコの中心線より一側に寄せた位置の下面には、前記合せ目に直交する方向に配した長尺の補強部材を設け、前記突片を該補強部材の延長によって形成してなる請求項１又は２記載のベッドのスノコ支持構造。
【発明の詳細な説明】
【０００１】
【発明の属する技術分野】
本発明は、ベッドのスノコ支持構造に係わり、更に詳しくは２段ベッド等の簡易なベッドに適用すれば特に好ましいスノコ支持構造に関するものである。
【０００２】
【従来の技術】
従来から、ベッドの枠体内面に設けた段部に複数のスノコを載支し、該スノコの外周を前記枠体にて保持してなるベッドのスノコ支持構造は公知である。例えば、実開昭６０−８６１６４号公報にて開示される如く、前後枠と側枠とで構成された枠体に、２枚の分割スノコを装着する際に、側枠の内面に縁板を固定してスノコを載支する段部を形成するとともに、各スノコの合せ目に沿ってあるいは合せ目と交差するように桟部材を前記枠体に渡設し、該桟部材で強度の弱い各スノコの合せ目を載支して下方への撓みを少なくした構造が提案されている。
【０００３】
前述の公報記載の１段ベッドは、大人或いは体格が大きな子供が使用することを前提としたものであり、全体を頑丈な構造に構成しても差し支えなく、前記桟部材によって各スノコの合せ面の撓みを確実に規制することができる。しかし、桟部材を設けることにより、重量が重くなり、コスト高になることは避けられない。
【０００４】
一方、主に子供が使用する２段ベッドでは、前述の桟部材を用いる構造を採用すると、重量が重くなって取扱いに不便であり、また１段当たりのコストが上昇することは全体として大幅なコスト高となる。しかも、上段のベッドに設けた桟部材は、下段のベッドにおいては上部空間を狭める障害物となり、また仰向けに寝た場合に直接目に入るので圧迫感を呈するといった不都合がある。更に、前記桟部材によってスノコの下方への撓みは規制できるが、上方への跳ね上がりは防止できない。
【０００５】
【発明が解決しようとする課題】
従来のスノコの支持構造において、各スノコの合せ目の強度が弱いのは、スノコが分離しているからであり、枠体に装着した際に、各スノコが実質的に連結されれば強度が高くなるとの発想に基づいて本発明に至ったのである。
【０００６】
つまり、本発明が前述の状況に鑑み、解決しようとするところは、２段ベッド等の簡易なベッドにおいて、ベッドの枠体内に装着した複数のスノコの合せ目の撓みと跳ね上がりとを、枠体に装着する際に各スノコが実質的に連結されるといった簡単な構造によって、同時に規制することができるベッドのスノコ支持構造を提供する点にある。
【０００７】
【課題を解決するための手段】
本発明は、前述の課題解決のために、ベッドの枠体内面に設けた段部に複数のスノコを載支し、該スノコの外周を前記枠体にて保持してなるベッドのスノコ支持構造であって、前記各スノコの合せ目において互いにスノコの上下変位を規制すべく、一方のスノコの中心線より一側に寄せた位置に下面から他方のスノコの下面へ突出した突片を単又は複数設けるとともに、両スノコの突片が近接するように設定してなるベッドのスノコ支持構造を構成した。
【０００８】
ここで、２枚の同一形状のスノコからなり、各スノコの合せ目に突設した突片の位置を１８０度回転させた際に重ならない位置に設けてなることが好ましい。
【０００９】
更に、前記各スノコの中心線より一側に寄せた位置の下面には、前記合せ目に直交する方向に配した長尺の補強部材を設け、前記突片を該補強部材の延長によって形成してなることがより好ましい実施形態である。
【００１０】
この場合、隣接する各突片の側面に凹凸嵌合する構造を採用すること、あるいは各突片とスノコの下面とに凹凸嵌合する構造を採用することは自由である。
【００１１】
【発明の実施の形態】
次に本発明の実施の形態を添付図面に基づき更に詳細に説明する。図１〜図３は本発明に係るベッドのスノコ支持構造を採用した木製の２段ベッドを示し、図４〜図８はその要部を示し、図中符号Ａは下段ベッド、Ｂは上段ベッド、１は枠体、２はスノコ、３は段部、４は突片をそれぞれ示している。
【００１２】
本発明に係るベッドのスノコ支持構造は、ベッドの枠体１内面に設けた段部３に複数のスノコ２，２を載支し、該スノコ２，２の外周を前記枠体１にて保持してなるベッドのスノコ支持構造であって、前記各スノコ２，２の合せ目５において互いにスノコ２，２の上下変位を規制する嵌合部を設けてなるものである。前記スノコ２は、通常は２枚であるが、原理的には３枚以上であっても良い。本実施形態では、２枚のスノコ２，２からなり、合せ目５が一箇所にのみ存在する例を示している。
【００１３】
更に詳しくは、前記各スノコ２，２の合せ目５において一方のスノコ２の中心線より一側に寄せた位置の下面から他方のスノコ２の下面へ突出した突片４を単又は複数設けて前記嵌合部としたのである。ここで、前記各スノコ２，２は、２枚の同一形状のスノコからなり、各スノコ２，２の合せ目５に突設した突片４，…の位置を１８０度回転させた際に重ならない位置に設けている。また、前記各スノコ２の下面には、前記合せ目５に直交する方向に配した長尺の補強部材６を設け、前記突片４を該補強部材６の延長によって形成している。
【００１４】
次に、各部の具体的構造について説明する。前記ベッドＡ，Ｂは、基本的には同様な構造であるので特に区別せずに説明する。前記ベッドは４つのコーナーに支柱７，…を有し、各支柱７，７間に前枠８、後枠９及び両側枠１０，１０を連結して枠体１を構成している。そして、両側枠１０，１０の内面側に沿って受板１１，１１を固定して前記段部３を形成するとともに、前記前枠８と後枠９の内面中央部にブロック状の受片１２をそれぞれ固定して同じく前記段部３を形成している。
【００１５】
また、前記スノコ２は、図４に示すように、両側縁に沿って縁部材１３，１３を配設し、両縁部材１３，１３の上面に亘って多数の面板部材１４，…を平行に固定するとともに、各面板部材１４，…の下面に直交するように２本の前記補強部材６，６を固定し、該補強部材６の一端は、前記合せ目５から側方へ突出させて前記嵌合部を構成する突片４となしている。ここで、前記補強部材６，６は、中心線より一側に寄せた位置に設け、両スノコ２，２を互いの合せ目５にて接合した際に、両スノコ２，２の突片４，４が重ならないようにするとともに、当該突片４，４が近接するように設定している。
【００１６】
また、図５及び図６に示すように、前記突片４の上面にクッション材１５を添設し、一方のスノコ２の突片４を他方のスノコ２の下面、即ち面板部材１４の下面に挿入した際に、当該クッション材１５が接触して音の発生やガタツキを防止している。
【００１７】
そして、前記枠体１に前記両スノコ２，２を装着するには、先ず各スノコ２を合せ目５側を下方に向けた傾斜状態となして両スノコ２，２を側面視Ｖ字状となし、その状態で枠体１内に落とし込み、合せ目５に対応する両縁部材１３，１３の端部を前記受板１１，１１の段部３，３に載置し、それから両スノコ２，２の側端部を落とし込んで、前記各受片１２の段部３に面板部材１４を載置するのである。この際、各スノコ２は前枠８及び後枠９の内面を滑りながら、中央側に若干移動するので、各突片４，…は対向するスノコ２の下面に強制的に進入し、完全にスノコ２，２が前記段部３，…に載支された状態では、各突片４，…が対向するスノコ２の下面に接触した状態となる。従って、一方のスノコ２の合せ目５の撓みは他方のスノコ２の突片４で支持し、また一方のスノコ２の浮き上がりは、当該スノコ２から突出した突片４が他方のスノコ２の下面に当接していることにより規制されるのである。
【００１８】
このように、前記各スノコ２に設けた突片４，…からなる嵌合部によって、合せ目５における互いのスノコ２の撓みと跳ね上がりを規制することができるが、全スノコ２，２の同時の跳ね上がりは規制できない。そのため、図７及び図８に示すように、スノコ２，２を段部３，…に載支した状態、固定金具１６によって下方より縁部材１３を受板１１に固定する。前記固定金具１６は、前記縁部材１３の下面にネジ止めする固定板１６Ａを有し、該固定板１６ＡからＬ字状に下方へ延びた連結板１６Ｂを有するとともに、該連結板１６Ｂの下縁に前記固定板１６Ａとは逆向きにＬ字状に屈曲した係止板１６Ｃを有したものである。そして、前記固定板１６Ａを前記縁部材１３の下面にネジ止めし、前記受板１１の側面に連結板１６Ｂを沿わせ、前記係止板１６Ｃで該受板１１の下面を係止して、上方移動を確実に規制している。図８（ａ）は、両側部において前記受板１１と関係づけて使用する固定金具１６を示し、図８（ｂ）は前後部において前記受片１２と関係づけて使用する固定金具１６を示している。
【００１９】
また、前記突片４を対向するスノコ２の下面へ進入し易くするために、図９に示すように、突片４の先端両側に面取り部１７，１７を形成することも実用的である。
【００２０】
その他の変形例を、図１０〜図１５に基づいて簡単に説明する。図１０は、各スノコ２，２に設けた隣接する各突片４の対向面側に、ピン１８を側設するとともに、該ピン１８を受け入れることが可能な凹溝１９を形成して、凹凸嵌合する構造を設けたものである。
【００２１】
図１１は、各スノコ２，２に設けた隣接する各突片４の対向面側であって、一方の突片４に出没可能なラッチ２０を設けるとともに、他方の突片４に前記ラッチ２０を受け入れる凹部２１を形成して、凹凸嵌合する構造を設けたものである。
【００２２】
図１２は、各スノコ２，２に設けた隣接する各突片４の対向面側であって、前記合せ目５から突出して部分に突起部２２を形成し、両スノコ２，２を枠体１に装着した際に両突起部２２，２２が前後に係合するようにしたものである。尚、一方の突片４の突起部２２を、他方の突片４の突起部２２を通過させるには、スノコ２と両側枠１０，１０との間に若干のクリアランスが必要であるが、通常の設計の際に設けるクリアランスで十分である。
【００２３】
図１３は、各スノコ２，２に設けた隣接する各突片４の上面に、ダボ２３を突設するとともに、該ダボ２３に対応する他方のスノコ２の面板部材１４の下面に該ダボ２３を受け入れる嵌合穴２４を形成したものである。
【００２４】
図１４は、前記突片４の代わりに、合せ目５と面一となした前記補強部材６の端面にピン２５を突設し、他方のスノコ２の補強部材６の端面に前記ピン２５を嵌入する嵌合穴２６を形成したものである。つまり、この場合は、前記各スノコ２，２の補強部材６，６は、互いに突き合い状態となる位置に設けられている。
【００２５】
図１５は、各スノコ２の合せ目５から突片４が出没可能となるように、該突片４を有する可動部材２７を補強部材６に沿ってスライド可能に設けたものである。この例では、ガイド金具２８にて、前記可動部材２７をスライド可能に取付け、突片４が突出した状態で該可動部材２７をガイド金具２８に調節ネジ２９で固定できるようにしているが、単に市販のカンヌキでも良い。
【００２６】
このように、図１０〜図１３に示した凹凸嵌合構造は、各スノコ２と前枠８又は後枠９との間に設けたクリアランスのため、各スノコ２が合せ目５から離れる方向へ移動するのを規制したものである。また、図１４に示したものは、突片４による上下変位の規制を更に補強したものである。
【００２７】
尚、前記両側枠１１，１１間には、その間隔が広がってスノコ２が段部３から落ちないように、従来と同様にセンターワイヤ３０，３０を渡設してある。
【００２８】
本発明は、前述の構造のベッドに限定されず、１段ベッドにも適用することができ、またスノコ２以外の部分での限定は不要である。
【００２９】
【発明の効果】
以上にしてなる請求項１に係る発明のベッドのスノコ支持構造は、ベッドの枠体内面に設けた段部に複数のスノコを載支し、該スノコの外周を前記枠体にて保持してなるベッドのスノコ支持構造であって、前記各スノコの合せ目において互いにスノコの上下変位を規制すべく、一方のスノコの中心線より一側に寄せた位置に下面から他方のスノコの下面へ突出した突片を単又は複数設けるとともに、両スノコの突片が近接するように設定してなるので、スノコの合せ目での撓みと跳ね上がりを確実に規制することができ、各スノコの合せ目において一方のスノコの下面から他方のスノコの下面へ突出した突片を単又は複数設けるだけの構造により、スノコの合せ目での撓みと跳ね上がりを確実に規制することができる。また、前記突片はスノコの合せ目の中心線より一側に寄せた位置に形成しているので、スノコの合せ目の中央部の撓みと跳ね上がりを効果的に規制することができ、更に両スノコの突片が近接するように設定しているので、両突片が接触する方向への移動も規制することができる。
【００３０】
請求項２によれば、同一のスノコを２枚用いることができるので、製造コストの上昇を最小限に抑制することができる。
【００３１】
請求項３によれば、単に若干長い補強部材を用い、その一部を合せ目から突出するだけで済むので、極めて簡単且つ安価に構成することができるのである。
【図面の簡単な説明】
【図１】  本発明に係るベッドのスノコ支持構造を採用した２段ベッドの正面図である。
【図２】  同じく左側面図である。
【図３】  同じく平面図である。
【図４】  同じくスノコの斜視図である。
【図５】  スノコの要部の斜視図である。
【図６】  同じく２枚のスノコの合せ目部分を示す部分平面図である。
【図７】  スノコの側部における支持構造を示す拡大部分断面図である。
【図８】  固定金具を示し、（ａ）は側部に使用する固定金具の斜視図、（ｂ）は前後部に使用する固定金具の斜視図を示している。
【図９】  前記突片の変形例を示す要部の斜視図である。
【図１０】  前記突片に凹凸嵌合構造を付加した第１例を示す要部の斜視図である。
【図１１】  同じく前記突片に凹凸嵌合構造を付加した第２例を示す要部の斜視図である。
【図１２】  同じく前記突片に凹凸嵌合構造を付加した第３例を示す要部の斜視図である。
【図１３】  同じく前記突片に凹凸嵌合構造を付加した第４例を示す要部の斜視図である。
【図１４】  前記突片の代わりにピンと嵌合穴を設けた例を示す要部の斜視図である。
【図１５】  前記突片を出没可能に設けた例を示す要部の斜視図である。
【符号の説明】
１  枠体                ２  スノコ
３  段部                ４  突片
５  合せ目              ６  補強部材
７  支柱                ８  前枠
９  後枠                １０側枠
１１  受板              １２  受片
１３  縁部材            １４  面板部材
１５  クッション材      １６  記固定金具
１７  面取り部          １８  ピン
１９  凹溝              ２０  ラッチ
２１  凹部              ２２  突起部
２３  ダボ              ２４  嵌合穴
２５  ピン              ２６  嵌合穴
２７  可動部材          ２８  ガイド金具
２９  調節ネジ          ３０  センターワイヤ
【図１】
0003697569.tif 000002
【図２】
0003697569.tif 000003
【図３】
0003697569.tif 000004
【図４】
0003697569.tif 000005
【図５】
0003697569.tif 000006
【図６】
0003697569.tif 000007
【図７】
0003697569.tif 000008
【図８】
0003697569.tif 000009
【図９】
0003697569.tif 000010
【図１０】
0003697569.tif 000011
【図１１】
0003697569.tif 000012
【図１２】
0003697569.tif 000013
【図１３】
0003697569.tif 000014
【図１４】
0003697569.tif 000015
【図１５】
0003697569.tif 000016